(57)【要約】【課題】災害時等において、個人から意識的に発信することができない場合であっても、個人の位置情報を知ることが可能なＧＰＳ機能搭載携帯電話機による位置情報管理システムを提供する。【解決手段】ＧＰＳ機能搭載携帯電話機と、端末とが、インターネットを介して情報管理サーバに接続されたＧＰＳ機能搭載携帯電話機による位置情報管理システムであって、ＧＰＳ機能搭載携帯電話機が、常時自己の位置情報を入手し、当該入手した位置情報を前記情報管理サーバへ送信し、情報管理サーバが、ＧＰＳ機能搭載携帯電話機から送信されるＧＰＳ機能搭載携帯電話機の位置情報を保持する所在情報テーブルと、所在情報テーブルの内容を参照許可するユーザＩＤを登録した参照許可情報テーブルとを有し、参照許可情報テーブルに登録されたユーザが、端末を使用して所在情報テーブル内の所在情報を常時参照可能とする。【選択図】図７
2007195107.tif 000002
【特許請求の範囲】
【請求項１】
ＧＰＳ機能搭載携帯電話機と、端末とが、インターネットを介して情報管理サーバに接続されたＧＰＳ機能搭載携帯電話機による位置情報管理システムであって、
前記ＧＰＳ機能搭載携帯電話機は、常時自己の位置情報を入手し、当該入手した位置情報を前記情報管理サーバへ送信し、
前記情報管理サーバは、前記ＧＰＳ機能搭載携帯電話機から送信される前記ＧＰＳ機能搭載携帯電話機の位置情報を保持する所在情報テーブルと、
前記所在情報テーブルの内容を参照許可するユーザＩＤを登録した参照許可情報テーブルとを有し、
前記参照許可情報テーブルに登録されたユーザが、前記端末を使用して前記所在情報テーブル内の所在情報を常時参照できるようにしたことを特徴とするＧＰＳ機能搭載携帯電話機による位置情報管理システム。
【発明の詳細な説明】
【技術分野】
【０００１】
本発明は、ＧＰＳ機能搭載携帯電話機による位置情報管理システムに係り、特に、携帯電話機の位置情報（即ち、携帯電話機の所有者の位置情報）を、端末（携帯電話あるいはパーソナルコンピュータ等）を使用して、登録されたユーザが常時参照可能としたＧＰＳ機能搭載携帯電話機による位置情報管理システムに関する。
【背景技術】
【０００２】
従来、個人の位置情報（所在情報）を確認する方法としては、個人から意識的に位置情報を発信する方法しかなく、特に、災害時等においては、個人から意識的に発信することができない場合が考えられる。その際には、個人の所在情報を知ることができない。
【発明の開示】
【発明が解決しようとする課題】
【０００３】
このように、個人の位置情報を確認する方法としては、個人から意識的に位置情報を発信する方法しかなく、そのため、災害時等において、個人から意識的に発信することができない場合には、個人の位置情報を知ることができないと言う問題があった。
本発明は、前記従来技術の問題点を解決するためになされたものであり、本発明の目的は、災害時等において、個人から意識的に発信することができない場合であっても、個人の位置情報を知ることが可能なＧＰＳ機能搭載携帯電話機による位置情報管理システムを提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、ＧＰＳ機能搭載携帯電話機と、端末とが、インターネットを介して情報管理サーバに接続されたＧＰＳ機能搭載携帯電話機による位置情報管理システムであって、前記ＧＰＳ機能搭載携帯電話機は、常時自己の位置情報を入手し、当該入手した位置情報を前記情報管理サーバへ送信し、前記情報管理サーバは、前記ＧＰＳ機能搭載携帯電話機から送信される前記ＧＰＳ機能搭載携帯電話機の位置情報を保持する所在情報テーブルと、前記所在情報テーブルの内容を参照許可するユーザＩＤを登録した参照許可情報テーブルとを有し、前記参照許可情報テーブルに登録されたユーザが、前記端末を使用して前記所在情報テーブル内の所在情報を常時参照できるようにしたことを特徴とする。
【発明の効果】
【０００５】
本願において開示される発明のうち代表的なものによって得られる効果を簡単に説明すれば、下記の通りである。
本発明のＧＰＳ機能搭載携帯電話機による位置情報管理システムによれば、災害時等において、個人から意識的に発信することができない場合であっても、個人の位置情報を知ることが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例のＧＰＳ機能搭載携帯電話機による位置情報管理システムの概略構成を示すブロック図である。
図１において、１００はＧＰＳ機能搭載携帯電話機、１０１は情報管理サーバ、１０２は端末（ここでは、パーソナルコンピュータ（以下、ＰＣという））、１０３はＧＰＳ衛星−ＧＰＳシステムである。
情報管理サーバ１０１は、インターネットを介してＧＰＳ機能搭載携帯電話機１００と接続される。ＰＣ１０２はインターネットを介して情報管理サーバ１０１へ接続し、登録情報を参照する。ＧＰＳ衛星−ＧＰＳシステム１０３は、ＧＰＳ搭載携帯電話機１００の位置情報取得、位置関係を測定し、現在地の緯度・経度を計算する。
本実施例では、ＧＰＳ機能搭載携帯電話機１００が、常時自己の位置情報（即ち、ＧＰＳ機能搭載携帯電話機１００の所有者の位置情報）を入手し、入手の都度、情報管理サーバ１０１へ送信し、情報管理サーバ内の所在情報テーブルの内容を更新する。
情報管理サーバは、ＧＰＳ機能搭載携帯電話機１００から送信された位置情報を、所在情報テーブルに保持し、また、ＧＰＳ機能搭載携帯電話機１００の所有者が予め、位置情報の参照を許可したユーザのユーザＩＤを登録した参照許可情報テーブルを有する。
これにより、参照用のＰＣ１０２を使用して、情報管理サーバ内の所在情報テーブルの位置情報を、参照許可情報テーブルに登録されたユーザが常時参照出来る。
【０００７】
図２は、図１に示す情報管理サーバ内の機能ブロックを示すブロック図である。
同図において、２００は接続機能を表し、接続機能２００は、利用者情報登録機能２０３と、認証チェック機能２０４とを有する。
２０１は登録機能であり、登録機能２０１は、緯度情報登録機能２０５と、経度情報登録機能２０６と、高度情報登録機能２０７とを有する。
２０２は参照機能であり、参照機能２０２は、座標変換機能２０８と、画面変換機能２０９とを有する。
図３は、図１に示す情報管理サーバ内の利用者情報テーブル３００の内容を示す図である。図３に示すように、利用者情報テーブル３００は、電話番号３０１と、利用者名称３０２とで構成される。
図４は、図１に示す情報管理サーバ内の所在情報テーブル４００の内容を示す図である。図４に示すように、所在情報テーブル４００は、電話番号４０１と、緯度情報４０２と、経度情報４０３と、高度情報４０４とで構成される。
図５は、図１に示す情報管理サーバ内の参照許可情報テーブル５００の内容を示す図である。図５に示すように、参照許可情報テーブル５００は、電話番号５０１、利用者名称５０２、許可ユーザＩＤ５０３、パスワード５０４で構成される。
【０００８】
以下、図１に示す情報管理サーバ１０１の登録処理について説明する。
図６は、図１に示す情報管理サーバ１０１の接続機能２００〜登録機能２０１の処理手順を示すフローチャートである。
先ず、始めに、キャリアからの電話番号を取得し（ステップ６０１）、利用者情報テーブル３００に、ステップ６０１で取得した電話番号が登録されているか否かを確認する（ステップ６０２）。
なお、この利用者情報テーブル３００への登録は、図２の利用者登録機能２０３により実行される。また、ステップ６０２は、図２の認証チェック機能２０４が実行する。
前述のステップ６０２において、ステップ６０１で取得した電話番号が登録されていない場合には、処理を終了する。また、ステップ６０１で取得した電話番号が登録されている場合には、ＧＰＳ機能搭載携帯電話機１００から、位置情報（所在情報）を取得し（ステップ６０３）、ステップ６０１で取得した電話番号をキーとして、取得した位置情報（緯度情報、経度情報、高度情報）を所在情報テーブル４００に格納、登録する（ステップ６０４）。なお、ステップ６０４は、図２の緯度情報登録機能２０５、経度情報登録機能２０６、および高度情報登録機能２０７が実行する。
【０００９】
以下、図１に示す情報管理サーバ１０１の参照処理について説明する。
図７は、図１に示す情報管理サーバ１０１の接続機能２００〜参照機能２０２の処理手順を示すフローチャートである。
先ず、始めに、確認したい利用者の利用者情報（ここでは、電話番号）を入力し（ステップ７０１）、ユーザＩＤ、パスワードを入力する（ステップ７０２）。
次に、利用者情報テーブル３００に、ステップ７０１で入力された電話番号が登録されているかを確認する（ステップ７０３）。
ステップ７０３において、利用者情報テーブル３００に登録されていなければステップ７０１へ戻る。また、利用者情報テーブル３００に、ステップ７０１で入力された電話番号が登録されていれば、参照許可情報テーブル５００に、ステップ７０２で入力されたユーザＩＤ・パスワードが登録されているかを確認する（ステップ７０４）。なお、ステップ７０３、ステップ７０４は、図２の認証チェック機能２０４が実行する。
ステップ７０４において、参照許可情報テーブル５００に、ステップ７０２で入力されたユーザＩＤ・パスワードが登録されていなければ、ステップ７０１へ戻る。また、参照許可情報テーブル５００にステップ７０２で入力されたユーザＩＤ・パスワードが登録されていれば、ステップ７０５に進む。
【００１０】
ステップ７０５では、ステップ７０１で入力された電話番号キーに、情報管理サーバ内の所在情報テーブル４００を検索し、確認したい利用者の位置情報を取得する。
次に、ステップ７０５で取得した、所在情報テーブル４００内の位置情報を地図情報へ書き込むことができる形式へ変換する（ステップ７０６）。なお、ステップ７０６は、図２の座標変換機能２０８が実行する。
次に、予め格納されている地図情報を取得し（ステップ７０７）、ステップ７０６で変換した位置情報を元に、地図情報上へ位置情報を書き込む（ステップ７０８）。
最後に、利用者の位置情報をＰＣの画面（ブラウザ上）へ表示する（ステップ７０９）。なお、ステップ７０９は、図２の画面変換機能２０９が実行する。
以上説明したように、本実施例では、遠隔地から、災害時等における特定の個人の安否情報を確認する際や、位置情報を確認する際に、ＧＰＳ機能を利用することで、特定の個人が意識的に位置情報を発信しなくても、即時的に特定の個人の位置情報を確認すことができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例のＧＰＳ機能搭載携帯電話機による位置情報管理システムの概略構成を示すブロック図である。
【図２】図１に示す情報管理サーバ内の機能ブロックを示すブロック図である。
【図３】図１に示す情報管理サーバ内の利用者情報テーブル３００の内容を示す図である。
【図４】図１に示す情報管理サーバ内の所在情報テーブル４００の内容を示す図である。
【図５】図１に示す情報管理サーバ内の参照許可情報テーブル５００の内容を示す図である。
【図６】図１に示す情報管理サーバ１０１の接続機能２００〜登録機能２０１の処理手順を示すフローチャートである。
【図７】図１に示す情報管理サーバ１０１の接続機能２００〜参照機能２０２の処理手順を示すフローチャートである。
【符号の説明】
【００１２】
１００  ＧＰＳ機能搭載携帯電話機
１０１  情報管理サーバ
１０２  位置情報参照ＰＣ
１０３  ＧＰＳ衛星−ＧＰＳシステム
２００  接続機能
２０１  登録機能
２０２  参照機能
２０３  利用者情報登録機能
２０４  認証チェック機能
２０５  緯度情報登録機能
２０６  経度情報登録機能
２０７  高度情報登録機能
２０８  座標変換機能
２０９  画面変換機能
３００  利用者情報テーブル
３０１  電話番号
３０２  利用者名称
４００  所在情報テーブル
４０１  電話番号
４０２  緯度情報
４０３  経度情報
４０４  高度情報
５００  参照許可情報テーブル
５０１  電話番号
５０２  利用者名称
５０３  許可ユーザＩＤ
５０４  パスワード
【図１】
2007195107.tif 000003
【図２】
2007195107.tif 000004
【図３】
2007195107.tif 000005
【図４】
2007195107.tif 000006
【図５】
2007195107.tif 000007
【図６】
2007195107.tif 000008
【図７】
2007195107.tif 000009